(57)【要約】      （修正有）【課題】フェージング環境下においても正しく短い時間で伝送モード、ガード長を判定する回路を提供する。【解決手段】受信した主波をシンボルの実データ分遅延する１シンボル遅延回路と、主波と１シンボル遅延回路の出力の相関を算出するガード相関回路と、ガード相関回路の出力を予め設定したシンボル分移動平均する移動平均回路と、シンボルごとの移動平均回路の出力のピーク値を検出する最大値検出回路と、最大値検出回路の出力を予め設定したシンボル分積算する最大値積算回路と、一定周期の基準波と、最大値検出回路の出力のピーク値間隔との差を算出しずれ量とし、ずれ量をシンボルごとに積算して出力するガード最大位置ずれ量積算回路と、ずれ量に基づいて最大値積算回路の出力を変更する最大値重み付け回路と、を具備する直交周波数分割多重方式を用いた無線装置の伝送モード、ガード長検出回路。【選択図】図１
2008160453.tif 000002
【特許請求の範囲】
【請求項１】
直交周波数分割多重方式を用いた無線装置の伝送モード、ガード長検出回路において、
シンボルの末尾と同等のガードインターバルを有する受信した主波を前記シンボルの実データ分遅延する１シンボル遅延回路と、
前記主波と前記１シンボル遅延回路の出力の相関を算出するガード相関回路と、
前記ガード相関回路の出力を予め設定した前記シンボル分移動平均する移動平均回路と、
前記シンボルごとの前記移動平均回路の出力のピーク値を検出する最大値検出回路と、
前記最大値検出回路の出力を予め設定した前記シンボル分積算する最大値積算回路と、
予め設定した前記シンボルの時間長である伝送モード長と前記ガードインターバルの時間長であるガード長に基づいて生成される一定周期の基準波と、前記最大値検出回路の出力のピーク値間隔との差を算出しずれ量とし、前記ずれ量を前記シンボルごとに積算して出力するガード最大位置ずれ量積算回路と、
前記ずれ量に基づいて前記最大値積算回路の出力を変更する最大値重み付け回路と、
を具備することを特徴とする無線装置の伝送モード、ガード長検出回路。
【請求項２】
前記最大値重み付け回路は、前記ずれ量と対応する重み付け係数から構成されるテーブルを備え、前記重み付け係数を前記最大値積算回路の出力に乗算して出力することを特徴とする請求項１に記載の無線装置の伝送モード、ガード長検出回路。
【請求項３】
さらに、前記最大値重み付け回路の出力と予め設定した閾値と比較し、比較結果に基づいて前記伝送モード長と前記ガード長の組み合わせを判定する最大値比較回路を前記最大値重み付け回路の後段に備えることを特徴とする請求項１又は２に記載の無線装置の伝送モード、ガード長検出回路。
【請求項４】
直交周波数分割多重方式を用いた無線装置の伝送モード、ガード長検出方法において、
シンボルの末尾と同等のガードインターバルを有する受信した主波を前記シンボルの実データ分遅延する１シンボル遅延処理と、
前記主波と前記１シンボル遅延処理の出力の相関を算出するガード相関処理と、
前記ガード相関処理の出力を予め設定した前記シンボル分移動平均する移動平均処理と、
前記シンボルごとの前記移動平均処理の出力のピーク値を検出する最大値検出処理と、
前記最大値検出処理の出力を予め設定した前記シンボル分積算する最大値積算処理と、
予め設定した前記シンボルの時間長である伝送モード長と前記ガードインターバルの時間長であるガード長に基づいて生成される一定周期の基準波と、前記最大値検出処理の出力のピーク値間隔との差を算出しずれ量とし、前記ずれ量を前記シンボルごとに積算して出力するガード最大位置ずれ量積算処理と、
前記ずれ量に基づいて前記最大値積算処理の出力を変更する最大値重み付け処理と、
を具備することを特徴とする無線装置の伝送モード、ガード長検出方法。
【請求項５】
前記最大値重み付け処理は、前記ずれ量と対応する重み付け係数から構成されるテーブルを備え、前記重み付け係数を前記最大値積算処理の出力に乗算して出力することを特徴とする請求項４に記載の無線装置の伝送モード、ガード長検出方法。
【請求項６】
さらに、前記最大値重み付け処理の出力と予め設定した閾値を比較し、比較結果に基づいて前記伝送モード長と前記ガード長の組み合わせを判定する最大値比較処理を前記最大値重み付け処理の後段に備えることを特徴とする請求項４又は５に記載の無線装置の伝送モード、ガード長検出方法。
【発明の詳細な説明】
【技術分野】
【０００１】
本発明は、直交周波数分割多重方式（OFDM: Orthogonal Frequency Division Multiplexing）を用いた伝送方式に係り、特に伝送モード、ガード長検出の受信および復調の技術に関する。
【背景技術】
【０００２】
近年、デジタル信号を伝送する方式として、直交周波数分割多重方式（OFDM：Orthogonal Frequency Division Multiplexing）と呼ばれる伝送方式が提案されている。ＯＦＤＭ方式では周波数軸上で直交している複数のキャリアにデータを割り当てて伝送する方式で、ＩＦＦＴ、ＦＦＴによる変調、復調が行われる。ＯＦＤＭ方式は周波数利用効率が高いことから、地上波デジタル放送への適用が広く検討されており、日本の地上波デジタル放送であるＩＳＤＢ−Ｔ（Integrated Services Digital Broadcasting-Terrestrial）の規格に採用されている。
【０００３】
従来の単一搬送波を用いたデジタル変調方式では、高速伝送になるほどシンボル期間が短くなるため、マルチパス（携帯電話やテレビなどにおいて基地局から送信された電波が、建物などの障害によって反射し、端末が複数の経路から同じ電波を受信してしまうこと）のような状況では信号の復調が困難になってくる。そこでＯＦＤＭ方式では、一つの搬送波ではなく、複数の搬送波に情報を分割して送信するマルチキャリア伝送方式を用いていることにより、一つのキャリアのシンボル長を長くすることが可能になり、長い遅延のマルチパスにも対応可能となる。また複数のキャリアにデータを割り当てるため、キャリアごとに変調方式を変えることが可能となる。
【０００４】
また、ＯＦＤＭ方式では、シンボルの終わりの部分の信号をシンボル前に付加することで、マルチパスに対する耐性を強めており、この付加した信号をガードインターバルという。
【０００５】
図８にマルチパスの場合のガードインターバルの効果を示す。図８（Ａ）にガードインターバルがない場合、図８（Ｂ）にガードインターバルを含む場合の図を示す。
図８（Ａ）はガードインターバルがなく、主波（直接来る信号波）に対して、遅延波（反射により遅延した信号波）がある場合に、シンボルｎに対してＦＦＴ処理を行うと遅延波のシンボルｎ−１のデータを取り込んでしまうため、前後のシンボル間干渉が生じて劣化がおきてしまう。それに対して図８（Ｂ）のようにガードインターバルを設けた場合は、シンボルｎに対してＦＦＴ処理を行う際に前シンボルｎ−１のデータを取り込まないため、干渉無しに復調することが可能である。
【０００６】
例えば、ガードインターバルは現在日本の地上デジタル放送であるＩＳＤＢ−Ｔでは、ガードインターバルがシンボル長の１／４、１／８、１／１６の３通りが割り当てられていて、これらの自動判別は通常行われている。
【０００７】
また、シンボルの長さについてもＯＦＤＭのキャリア間隔がモード２とモード３の２通りの規格が運用されており、１シンボルの長さがモード２では０．５０４ｍｓ、モード３では１．００８ｍｓと規定され、さらにガードインターバルが付加される。伝送モードの自動判別も通常行われている。
【０００８】
図９に従来の伝送モード、ガード長判定回路９１を示す。伝送モード、ガード長判定回路９１は、１シンボル遅延回路９２、相関計算回路９３、移動平均回路９４、最大値検出
回路９５、最大値積算回路９６、最大値比較回路９７から構成される。
【０００９】
１シンボル遅延回路９２は主波の実データを１シンボル遅延させる（ただし、ガードインターバル分は含まない）。
相関計算回路９３は、上記１シンボル遅延回路９２により主波の実データと１シンボル遅延させたデータ（ガードインターバル分は含まない）の相関をとる。ガードインターバルの部分は同一のデータであるため、高い相関が取れる（ガード相関）。つまり、図１０に示すシンボルｎに注目すると、（１）主波のシンボルｎの末尾部分は、（２）１シンボル遅延のシンボルｎのガードインターバルＧＩｎと同じタイミングで相関をとるため（３）ガード相関に示すようなピーク値を検出することができる。移動平均回路９４では、相関計算回路９３の相関値をガード長分の移動平均計算を行う。その結果図１０の（４）移動平均に示すようにガードインターバルと実データとの切れ目（図１０の矢印）にピークが生じる。
【００１０】
最大値検出回路９５では移動平均回路９４の出力信号の最大値であるピーク値を検出する。最大値積算回路９６では最大値検出回路９５のピーク値を数シンボル分積算しピーク積算値を出力する。最大値比較回路９７では予め設定した閾値とピーク積算値を比較し、比較結果によりにより伝送モード、ガード長の組み合わせを判定する。
【００１１】
通常はこのピークの大きさを数シンボル分積算して使用し、正しい伝送モード、ガード長の組み合わせでこのガード相関の移動平均を実施しないと高いピークが生じないため、規格にある全伝送モード、ガード長の組み合わせの結果を比較し、最も高い伝送モード、ガード長の組み合わせが正しい値であると判別する。
【００１２】
また、特許文献１、２にも上記従来の方法により有効シンボル長、ガードインターバル長などの伝送モードを識別し、ＯＦＤＭ信号を復調する提案がされている。
特許文献３によれば、シンボル同期部１６が、受信ＯＦＤＭ信号ｘ（ｎ）を検出する第１検出器４０１、第２検出器４０２および第３検出器４０３と、検出器４０１〜４０３から出力された検出信号ｖ1（ｎ）、ｖ2（ｎ）、ｖ3（ｎ）を論理積演算して論理信号ＡＶを出力する論理ＡＮＤ素子４１と、その論理信号ＡＶを用いて同期タイミング信号Ｔ０を生成して出力する判定回路４２とを備えて構成されている。そして、このシンボル同期部１６が、３種類のモード（モード１，モード２，モード３）の中から受信ＯＦＤＭ信号ｘ（ｎ）のモードを検出し、各シンボルの始点、ガードインターバル長、有効シンボル長などを自動検出する提案がされている。
【００１３】
しかしながら、携帯電話など移動体受信で地上波デジタル放送を受信する場合、移動や時間の経過に伴って電波の受信レベルが変動するフェージング現象が頻繁に生じる。あまりにも強いフェージング環境においては一定期間の間、電力自体が弱まるため、その間に伝送モード、ガード長が正しく判定されない状態が生じる。
【００１４】
またフェージング環境下で従来の方式で伝送モード、ガード長検出を行う際にたまたま目的の伝送モード、ガード長のガード相関計算の際に電力が下がると別の組み合わせの方が高い相関値となってしまい誤った組み合わせで動作してしまう。そのため、誤った組み合わせを認識して再び伝送モード、ガード長検出をするまでの間、誤った伝送モード、ガード長で動作してしまいその間全く受信できない状態に陥ってしまう。
【００１５】
以上のように強いフェージング環境下では正しい伝送モード、ガード長を判定するまでの時間がかかってしまい、その間全く復調処理がなされなくなってしまうという問題がある。
【特許文献１】特開２００３−４６４７２号公報
【特許文献２】特開平１０−３２７１２２号公報
【特許文献３】特開２００３−２６４５２８号公報
【発明の開示】
【発明が解決しようとする課題】
【００１６】
本発明は上記のような実情に鑑みてなされたものであり、フェージング環境下においても正しく短い時間で伝送モード、ガード長を判定する伝送モード、ガード長検出回路を提供することを目的とする。
【課題を解決するための手段】
【００１７】
本発明の態様のひとつである直交周波数分割多重方式を用いた無線装置の伝送モード、ガード長検出回路は、シンボルの末尾と同等のガードインターバルを有する受信した主波を前記シンボルの実データ分遅延する１シンボル遅延回路と、前記主波と前記１シンボル遅延回路の出力の相関を算出するガード相関回路と、前記ガード相関回路の出力を予め設定した前記シンボル分移動平均する移動平均回路と、前記シンボルごとの前記移動平均回路の出力のピーク値を検出する最大値検出回路と、前記最大値検出回路の出力を予め設定した前記シンボル分積算する最大値積算回路と、予め設定した前記シンボルの時間長である伝送モード長と前記ガードインターバルの時間長であるガード長に基づいて生成される一定周期の基準波と、前記最大値検出回路の出力のピーク値間隔との差を算出しずれ量とし、前記ずれ量を前記シンボルごとに積算して出力するガード最大位置ずれ量積算回路と、前記ずれ量に基づいて前記最大値積算回路の出力を変更する最大値重み付け回路と、を有する。
【００１８】
好ましくは、前記最大値重み付け回路は、前記ずれ量と対応する重み付け係数から構成されるテーブルを備え、前記重み付け係数を前記最大値積算回路の出力に乗算して出力する構成としてもよい。
【００１９】
好ましくは、前記最大値重み付け回路の出力と予め設定した閾値と比較し、比較結果に基づいて前記伝送モード長と前記ガード長の組み合わせを判定する最大値比較回路を前記最大値重み付け回路の後段に備える構成としてもよい。
【００２０】
本発明である直交周波数分割多重方式を用いた無線装置の伝送モード、ガード長検出方法は、シンボルの末尾と同等のガードインターバルを有する受信した主波を前記シンボルの実データ分遅延する１シンボル遅延処理と、前記主波と前記１シンボル遅延処理の出力の相関を算出するガード相関処理と、前記ガード相関処理の出力を予め設定した前記シンボル分移動平均する移動平均処理と、前記シンボルごとの前記移動平均処理の出力のピーク値を検出する最大値検出処理と、前記最大値検出処理の出力を予め設定した前記シンボル分積算する最大値積算処理と、予め設定した前記シンボルの時間長である伝送モード長と前記ガードインターバルの時間長であるガード長に基づいて生成される一定周期の基準波と、前記最大値検出処理の出力のピーク値間隔との差を算出しずれ量とし、前記ずれ量を前記シンボルごとに積算して出力するガード最大位置ずれ量積算処理と、前記ずれ量に基づいて前記最大値積算処理の出力を変更する最大値重み付け処理と、を有する。
【００２１】
好ましくは、前記最大値重み付け処理は、前記ずれ量と対応する重み付け係数から構成されるテーブルを備え、前記重み付け係数を前記最大値積算処理の出力に乗算して出力する構成としてもよい。
【００２２】
好ましくは、前記最大値重み付け処理の出力と予め設定した閾値を比較し、比較結果に基づいて前記伝送モード長と前記ガード長の組み合わせを判定する最大値比較処理を前記最大値重み付け処理の後段に備える構成としてもよい。。
【００２３】
本発明により、例えば地上波デジタル放送において新幹線内など非常に強いフェージング環境下においても伝送モード、ガード長を正しく判定することが可能となる。これにより結果的に正常受信できる期間が早まりより多くの情報を正常受信することが可能となる。
【発明の効果】
【００２４】
本発明によれば、非常に強いフェージング環境下においても伝送モード、ガード長を正しく判定することが可能となる。これにより結果的に正常受信できる期間が早まりより多くの情報を正常受信することが可能となる。
【発明を実施するための最良の形態】
【００２５】
以下図面に基づいて、本発明の実施形態について詳細を説明する。
本方式の実施例を図１に示す。図１に示す伝送モード、ガード長判定回路１は、１シンボル遅延回路２、相関計算回路３、移動平均回路４、最大値検出回路５、最大値積算回路６、ピーク位置ずれ量積算回路７、最大値重み付け回路８、最大値比較回路９から構成される。
【００２６】
本実施形態の伝送モード、ガード長判定回路１はＯＦＤＭ信号復調装置に設けられ、ＯＦＤＭ信号変調装置などから伝送路へ送出された信号が、フィルタリングなどの信号処理が施された後、受信信号として入力される。本実施例ではＯＦＤＭ信号の伝送モードは、ＩＳＤＢ−Ｔ（Integrated Services Digital Broadcasting-Terrestrial）規格に沿って説明をする。つまり、フレーム内で一定の伝送モードで伝送され、かつ、伝送モードのいずれかで伝送されるものとする。なお、本例ではＩＳＤＢ−Ｔ規格を用いて説明するがこれに限定されるものではない。
【００２７】
また、ＯＦＤＭ信号復調装置に入力された受信信号は、ベースバンド信号へ変換され、Ａ／Ｄ変換部によりサンプリングされてデジタルのベースバンド信号（Ｉ及びＱ）となる。
【００２８】
１シンボル遅延回路２は、上記のように受信したデジタルのベースバンド信号の主波の実データ（シンボルｎ−１、ｎ、ｎ＋１など）を１シンボル遅延させる１シンボル遅延処理（ただし、ガードインターバル分は含まない）をする。
【００２９】
相関計算回路３は、上記１シンボル遅延回路２により主波の実データ（シンボルｎ−１、ｎ、ｎ＋１など）と１シンボル遅延させたデータ（ガードインターバル分は含まない）の相関をとるガード相関処理をする。ガードインターバルの部分は同一のデータであるため、高い相関が取れる（ガード相関）。
【００３０】
移動平均回路４は、相関計算回路３の相関値をガード長分の移動平均計算を行う移動平均処理をする。ガードインターバルと実データとの切れ目にピークが生じる。
例えば、図２に示す例はモード３ガード長１／８の放送を、モード２ガード長１／８で受信した場合の例である。１シンボルの長さがモード２では０．５０４ｍｓ、モード３では１．００８ｍｓと規定されている。
【００３１】
（１）主波のシンボルｎに注目すると、シンボルｎのガードインターバルＧＩｎが、１シンボル遅延回路２によりモード２ガード長１／８の設定で１シンボル遅延される。そのため、（３）ガード相関に示すように、実際に受信している（１）主波の信号（モード３ガード長１／８）と（２）１シンボル遅延との相関がほとんどとることができない。（１）主波のシンボルｎの末尾の信号成分（ガードインターバルＧＩｎと同じ）（２）１シン
ボル遅延のシンボルｎのガードインターバルＧＩｎが揃わないため（３）ガード相関に示すようにピークの低い出力しか得ることができない。その結果、（４）移動平均回路４で移動平均計算を行ってもやはり低い値となってしまう。
【００３２】
また、図３に示す例は、モード３ガード長１／８の放送を、モード３ガード長１／４で受信した場合の例である。（１）主波のシンボルｎに注目すると、シンボルｎのガードインターバルＧＩｎが、１シンボル遅延回路２によりモード３ガード長１／４の設定で１シンボル遅延される。そのため、（３）ガード相関に示すように、実際に受信している（１）主波のシンボルｎ（モード３ガード長１／８）の末尾の信号成分（ガードインターバルＧＩｎと同じ）と（２）１シンボル遅延のシンボルｎのガードインターバルＧＩｎが揃わないため（３）ガード相関に示すようにピークを得ることができるが、長い期間平均をするためピークが小さくなる。その結果、（４）移動平均回路４で移動平均計算を行ってもやはり正しいモード、ガード長で受信できたときよりも低い値となってしまう。
【００３３】
そこで、最大値検出回路５により移動平均回路４の出力信号の最大値であるピーク値を検出し（最大値検出処理）、最大値積算回路６により、最大値検出回路５のピーク値を数シンボル分積算しピーク積算値を出力して最大値重み付け回路８に入力するルートと（最大値積算処理）、移動平均回路４の出力信号をピーク位置ずれ量積算回路７に入力して最大値重み付け回路８に入力するルートを設ける。
【００３４】
ピーク位置ずれ量積算回路７は、予め設定したシンボルの時間長である伝送モード長とガードインターバルの時間長であるガード長に基づいて生成される一定周期の基準波と、最大値検出回路の出力のピーク値間隔との差を算出しずれ量を算出する（ピーク位置ずれ量積算処理）。つまり、正しい伝送モード、ガード長の組み合わせであれば移動平均回路４を算出したときに生じるピークの位置がちょうど１シンボル＋ガード長の間隔で現れるはずである。逆に誤った伝送モード、ガード長の組み合わせであればピークの位置と１シンボル＋ガード長とのずれ量は大きくなる。このピーク位置からのずれ量を積算して出力する。
【００３５】
図４は移動平均回路４の出力信号と１シンボル＋ガード長のピーク位置からのずれ量を示した図である。（１）移動平均の波形のピークを示し、（２）１シンボル＋ガード長は、モード、ガード設定により生成される１シンボル＋ガード長の基準を示す波形である。この波形の周期は設定ごと一定である。（３）は（１）移動平均回路４の出力のピークと（２）１シンボル＋ガード長の一定周期とのずれ量を表している。正しい伝送モード、ガード長の組み合わせであれば（３）に示すよう矢印（ずれていない）のようにずれ量はないはずである。異なっていればずれ量が生じる（矢印（ずれている））。
【００３６】
図５はモード３ガード長１／４の放送波を、モード３ガード長１／８として動作させた場合の一例である。（１）移動平均の波形のピークを示し、（２）１シンボル＋ガード長は、モード、ガード設定により生成される１シンボル＋ガード長の基準を示す波形である。この波形の周期は設定ごとに一定である。正しい伝送モード、ガード長の組み合わせであればずれ量はないはずである。しかし、実際は誤った組み合わせで移動平均を取得しているため、図５のように鋭いピークは現れないが、ガード長１／４をガード長１／８と誤認識して動作させているため、ずれ量がどんどん大きくなっていくことがわかる。
【００３７】
最大値重み付け回路８は、正しいモード、ガード長で設定したときの移動平均回路４の出力信号のピークを、ピーク位置ずれ量積算回路７で算出したピーク位置からのずれ量に基づいて信頼度を下げる処理をする（最大値重み付け処理）。
【００３８】
図６に最大値重み付け方法について示す。ピーク位置ずれ量積算回路７から出力される
ずれ量積算値に対して予め閾値を設ける。例えば、図６ではピーク最大値の範囲を４分割し（閾値１〜３）、ずれ量積算値が図６に示すどの閾値レベルであるかでピーク最大値に重み付けをする。ずれ量積算値のずれ量が小さい場合は、最大値積算回路６の出力（ピーク最大値）をそのまま使用する。また、閾値２と３の間であればピーク最大値を１／２にする。閾値４と３の間であればピーク最大値を１／４にする。ずれ量があまりにも大きい場合は最大値積算回路６の出力（ピーク最大値）を０にする。つまり、この伝送モード、ガード長は判定外とする。
【００３９】
なお、本実施例では判定する範囲を４分割したが特に限定するのもではない。例えば、さらに複数分割して判定精度を上げてもよい。また、リニア（一定の幅）に範囲を設定するだけでなく実測値に基づいた範囲設定を行うことも、非線形に範囲を設定することも可能である。
【００４０】
ここで、閾値はずれ量積算値に対応するように閾値テーブルを作成しメモリなどに記憶しておく。また、ずれ量積算値から範囲決定するようなアルゴリズムを用いてもよい。
こうすることで、フェージングなどの影響で偶然誤った組み合わせにより最大値が高くなり、正しい組み合わせの最大値が低くなっても、ずれ量により誤った組み合わせの最大値の信頼度を下げるため、最終的には正しい組み合わせが判別される。
【００４１】
最大値比較回路１０は、予め設定した閾値と最大値重み付け回路８の出力信号を比較し、比較結果により伝送モード、ガード長の組み合わせを判定する（最大値比較処理）。
通常はこのピークの大きさを数シンボル分積算して使用し、正しい伝送モード、ガード長の組み合わせでこのガード相関の移動平均を実施しないと高いピークが生じないため、規格にある全伝送モード、ガード長の組み合わせの結果を比較し、最も高い伝送モード、ガード長の組み合わせが正しい値であると判別する。この判別結果に基づいてモード、ガード長を正しい設定に変更する。
【００４２】
このように上記構成にすることでフェージングなど電力の変動に強くなるとともに、従来のピークの大きさに加え、このピーク位置のずれ量を用いることで通常の環境でもフェージング環境でも正常に判定可能となる。ただし、ピーク位置のずれ量はフェージングの有無に関係なく全般的に電力が低い環境であればずれ量のばらつきも大きくなるため、参考指標として使用することとして、ピークの大きさを主体に判定する。
【００４３】
次に本発明の動作について図７を用いて説明する。
ステップＳ１では移動平均を算出する。つまり、１シンボル遅延処理により受信したデジタルのベースバンド信号の主波の実データを１シンボル遅延させる（ただし、ガードインターバル分は含まない）。その後、相関計算処理により、上記１シンボル遅延処理により主波の実データと１シンボル遅延させたデータ（ガードインターバル分は含まない）の相関をとる。ガードインターバルの部分は同一のデータであるため、高い相関が取れる（ガード相関）。そして、相関計算処理の相関値をガード長分の移動平均計算を行う。その結果ガードインターバルと実データとの切れ目にピークが生じる。
【００４４】
ステップＳ２ではピ−ク位置を検出する。ステップＳ１の計算結果に基づいてピーク位置を算出する。例えば、１シンボルごとにサンプルホールドを行い、最大値を検出し保持する。
【００４５】
ステップＳ３では最初のピーク位置であるか判定する。最初のピーク位置である場合は（Ｙｅｓ）Ｓ１に移行する。そうでない場合は（Ｎｏ）Ｓ４、Ｓ７に移行する。つまり、電源投入時やリセットなどにより移動平均処理をするとき、最初のピーク値がないとピーク間隔が求められないため、次の１シンボルのピーク値を求めるためＳ１に移行する。
【００４６】
ステップＳ４では前の１シンボルのピークと今回のピークとのピーク間隔を算出する。
ステップＳ５ではピーク間隔と１シンボル＋ガード長との差（ずれ量）を算出する。モード、ガード設定により生成される１シンボル＋ガード長の間隔（規格ごとに決まる理想間隔：基準値）とピーク間隔（ピーク間隔値）の差分を算出する。例えば、基準値とピーク間隔値はサンプル数をカウントしその差分をずれ量としてもよい。
【００４７】
ステップＳ６ではこれまで算出したずれ量をすべて積算する。例えば、数シンボル間ずれ量を積算する。また、数シンボルごとにずれ量積算値をリセットして新たに積算を開始する。
【００４８】
ステップＳ７ではこれまで算出したピーク位置の各ピーク値（最大値）を積算する。例えば、数シンボル間ピーク値を積算する。また、数シンボルごとにピーク積算値をリセットして新たに積算を開始する。
【００４９】
ステップＳ８では指定したシンボル数分行ったかを判定する。予め設定したシンボル数でない場合（Ｎｏ）はＳ１に移行する。所定のシンボル数分ずれ量積算値とピーク積算値を算出した場合（Ｙｅｓ）Ｓ９に移行する。
【００５０】
ステップＳ９ではずれ量積算値と閾値を比較する。ここで閾値は上記説明したようにメモリなどに閾値テーブルを記録し、ずれ量積算値に基づいて閾値テーブルから重み付け係数を取得する。ステップＳ１０ではＳ９の比較結果をもとに最大値を下げる。つまり、重み付け係数とずれ量積算値を乗算することでピーク積算値を変更する。
【００５１】
このようにすることで、フェージングなどの影響で偶然誤った組み合わせにより最大値が高くなり、正しい組み合わせの最大値が低くなっても、ずれ量により誤った組み合わせの最大値の信頼度を下げるため、最終的には正しい組み合わせが判別される。
【００５２】
また、上記実施例の構成をプログラマブルデバイス（ＡＳＩＣ、ＦＰＧＡ、ＰＬＤなど）を用いてハードウェアなどで構成をしてもよい。また、ＣＰＵやＤＳＰなどにソフトウェアとして読込み動作させてもよい。
【００５３】
また、本発明は、上記実施の形態に限定されるものでなく、本発明の要旨を逸脱しない範囲内で種々の改良、変更が可能である。
【図面の簡単な説明】
【００５４】
【図１】本発明のモード、ガード長検出回路と方法を示す図である。
【図２】移動平均処理の出力と各回路の出力のタイミングチャートを示す図である。
【図３】移動平均処理の出力と各回路の出力のタイミングチャートを示す図である。
【図４】誤った伝送モード、ガード長の場合のずれ量積算値と正しい１シンボル＋ガード長の基準値とのずれを示す図である。
【図５】誤った伝送モード、ガード長の場合のずれ量積算値と正しい１シンボル＋ガード長の基準値とのずれを示す図である。
【図６】ずれ量積算値と重み付け係数の関係を示す図である。
【図７】本発明である最大値重み付けのフロー図である。
【図８】従来のガードインターバルの効果を示す図である。
【図９】従来のモード、ガード長検出回路を示す図である。
【図１０】従来のモード、ガード長検出方法のタイミングチャートである。
【符号の説明】
【００５５】
１      伝送モード、ガード長判定回路
２      １シンボル遅延回路
３      相関計算回路
４      移動平均回路
５      最大値検出回路
６      最大値積算回路
７      ピーク位置ずれ量積算回路
８      最大値重み付け回路
９      最大値比較回路
９１      伝送モード、ガード長判定回路
９２      １シンボル遅延回路
９３      相関計算回路
９４      移動平均回路
９５      最大値検出回路
９６      最大値積算回路
９７      最大値比較回路
【図１】
2008160453.tif 000003
【図２】
2008160453.tif 000004
【図３】
2008160453.tif 000005
【図４】
2008160453.tif 000006
【図５】
2008160453.tif 000007
【図６】
2008160453.tif 000008
【図７】
2008160453.tif 000009
【図８】
2008160453.tif 000010
【図９】
2008160453.tif 000011
【図１０】
2008160453.tif 000012